(57)【要約】【課題】  背板等にＲＦ−ＩＤメディアから情報を読み取るためのアンテナが配置されていない書棚やキャビネット等の収納部材に収納される物品をＲＦ−ＩＤメディアを用いて管理することができ、かつ、収納部材に収納された物品を検索した場合に物品の収納領域をわかりやすく出力する。【解決手段】  ＲＦ−ＩＤメディアが取り付けられた物品が収納される収納部材の棚部の背面に着脱可能な形状を具備する支持部材１０に、ＲＦ−ＩＤメディアから情報を読み出すためのアンテナが内蔵されたアンテナユニット２０−１〜２０−８を取り付けるとともに、アンテナを介してＲＦ−ＩＤメディアから情報を読み出す情報読出部が内蔵された制御ボックス３０を取り付け、また、棚部の前面に取り付けられる支持部材４０に、アンテナユニット２０−１〜２０−８に対応してＬＥＤ４１−１〜４１−８を取り付ける。【選択図】図１
2007004691.tif 000002
【特許請求の範囲】
【請求項１】
棚部を有する収納部材に収納される物品を、該物品に取り付けられたＲＦ−ＩＤメディアを用いて管理するための物品管理部材であって、
前記棚部の背面に着脱自在な形状を具備する第１の支持部材と、
前記第１の支持部材に取り付けられ、前記ＲＦ−ＩＤメディアから情報を読み出すための複数のアンテナと、
前記第１の支持部材に取り付けられ、前記アンテナを介して前記ＲＦ−ＩＤメディアから情報を読み出す情報読出手段と、
前記棚部の前面に取り付け可能な第２の支持部材と、
前記第２の支持部材に前記複数のアンテナのそれぞれに対応して取り付けられ、対応するアンテナを介しての前記ＲＦ−ＩＤメディアからの読み出し結果に応じて駆動する複数の物品位置表示手段とを有する物品管理部材。
【請求項２】
請求項１に記載の物品管理部材において、
前記第１の支持部材は、前記アンテナを任意の位置に着脱可能に構成された第１の取り付け手段を有し、
前記第２の支持部材は、前記物品位置表示手段を任意の位置に着脱可能に構成された第２の取り付け手段を有することを特徴とする物品管理部材。
【発明の詳細な説明】
【技術分野】
【０００１】
本発明は、収納部材に収納された物品を管理する物品管理部材に関し、特に、物品に取り付けられたＲＦ−ＩＤメディアを用いて物品を管理する物品管理部材に関する。
【背景技術】
【０００２】
従来、図書館等において棚に収納された書籍を管理する場合、バーコードや識別番号等のような書籍を管理するための識別情報を書籍の表紙あるいは裏表紙に記載したり、あるいは、該識別情報が印字されたラベルを書籍の表紙あるいは裏表紙に貼付したりしている。このバーコードや識別番号等の識別情報を書籍名と対応づけて管理しておき、書棚の保管場所において、書籍からバーコードや識別番号等の識別情報を読み取ることにより、書籍の在庫管理を行っている。
【０００３】
また、近年、非接触状態にて情報の書き込み及び読み出しが可能な非接触型ＩＣタグや非接触型ＩＣラベルといったＲＦ−ＩＤメディアを書籍に貼付しておき、また、書籍が収納される棚の背板に、ＲＦ−ＩＤメディアから情報を読み取るためのアンテナを配置しておき、このアンテナを介してＲＦ−ＩＤメディアから情報を読み取り、書籍の在庫管理を行う技術が考えられている（例えば、特許文献１参照。）。この技術においては、書籍等の物品に貼付されたＲＦ−ＩＤメディアからアンテナを介して情報を読み取り、この読み取った情報を用いて物品の在庫状況をパソコン等にて一元的に管理しておき、その後、物品を検索する場合、パソコン等にて管理されている情報を用いて検索が行われ、検索結果がパソコン上に表示されることになる。
【特許文献１】特開２００３−７２９１９号公報
【発明の開示】
【発明が解決しようとする課題】
【０００４】
しかしながら、上述したように、書籍が収納される棚の背板にＲＦ−ＩＤメディアから情報を読み取るためのアンテナを配置しておき、このアンテナを介して、書籍に貼付されたＲＦ−ＩＤメディアから情報を読み取ることにより書籍の在庫管理を行うものにおいては、背板にアンテナが配置された棚を用いてしか、ＲＦ−ＩＤメディアが貼付された書籍等の物品を管理することができず、アンテナが配置されていない一般の書棚やキャビネットに収納される物品を管理することができないという問題点がある。
【０００５】
また、上述したように、物品を検索した場合に検索結果がパソコン上に表示されることになるため、例えば、書籍等のように物品がラック等の複数の収納部材に収納されている場合、検索対象となる物品がどの収納部材のどこに収納されているかをパソコン上では認識することができるものの、実際に収納部材が置かれたスペースにおいて、どの収納部材のどこに探索対象となる物品が収納されているかを認識することが困難であるという問題点がある。また、パソコン上に表示される検索結果においては、検索対象となる物品の収納場所を示すために収納部材の識別番号等の情報が出力されることになるため、利用者は表示された識別番号等の情報がどの収納部材に対応するものであるかを覚えておかなければならないという問題点がある。
【０００６】
本発明は、上述したような従来の技術が有する問題点に鑑みてなされたものであって、背板等にＲＦ−ＩＤメディアから情報を読み取るためのアンテナが配置されていない書棚やキャビネット等の収納部材に収納される物品をＲＦ−ＩＤメディアを用いて管理することができ、かつ、収納部材に収納された物品を検索した場合に物品の収納領域をわかりやすく出力することができる物品管理部材を提供することを目的とする。
【課題を解決するための手段】
【０００７】
上記目的を達成するために本発明は、
棚部を有する収納部材に収納される物品を、該物品に取り付けられたＲＦ−ＩＤメディアを用いて管理するための物品管理部材であって、
前記棚部の背面に着脱自在な形状を具備する第１の支持部材と、
前記第１の支持部材に取り付けられ、前記ＲＦ−ＩＤメディアから情報を読み出すための複数のアンテナと、
前記第１の支持部材に取り付けられ、前記アンテナを介して前記ＲＦ−ＩＤメディアから情報を読み出す情報読出手段と、
前記棚部の前面に取り付け可能な第２の支持部材と、
前記第２の支持部材に前記複数のアンテナのそれぞれに対応して取り付けられ、対応するアンテナを介しての前記ＲＦ−ＩＤメディアからの読み出し結果に応じて駆動する複数の物品位置表示手段とを有する。
【０００８】
上記のように構成された本発明においては、収納部材の棚部の背面に第１の支持部材を取り付けるとともに収納部材の棚部の前面に第２の支持部材を取り付けることによって収納部材に物品管理部材を取り付け、棚部上に、ＲＦ−ＩＤメディアが取り付けられた物品を載置すると、第１の支持部材に取り付けられた情報読出手段と物品に取り付けられたＲＦ−ＩＤメディアとが、第１の支持部材に取り付けられた複数のアンテナを介して通信し、情報読出手段においてアンテナを介してＲＦ−ＩＤメディアから情報が読み出される。そして、この読み出し結果を用いて物品を検索すると、検索対象となる物品に取り付けられたＲＦ−ＩＤメディアから情報を読み出したアンテナに対応して第２の支持部材に取り付けられた物品位置表示手段が駆動する。
【０００９】
このように、ＲＦ−ＩＤメディアが取り付けられた物品が収納される収納部材の棚部に物品管理部材を取り付けることにより、物品に取り付けられたＲＦ−ＩＤメディアから情報が読み出されて読み出された情報を用いて物品が管理され、さらに、物品が検索された場合に検索対象となる物品に取り付けられたＲＦ−ＩＤメディアから情報を読み出したアンテナに対応する物品位置表示手段が駆動することになるので、背板等にＲＦ−ＩＤメディアから情報を読み取るためのアンテナが配置されていない書棚やキャビネット等の収納部材に収納される物品についても、物品に取り付けられたＲＦ−ＩＤメディアを用いて管理され、また、収納部材に収納された物品を検索した場合に物品の収納領域が収納部材にて表示されることになる。
【００１０】
また、前記第１の支持部材は、前記アンテナを任意の位置に着脱可能に構成された第１の取り付け手段を有し、
前記第２の支持部材は、前記物品位置表示手段を任意の位置に着脱可能に構成された第２の取り付け手段を有することを特徴とする。
【００１１】
このような構成とした場合は、ＲＦ−ＩＤメディアが取り付けられた物品の大きさや収納部材における収納位置に応じた位置にアンテナ及び物品位置表示手段を取り付けることになる。
【発明の効果】
【００１２】
以上説明したように本発明においては、ＲＦ−ＩＤメディアが取り付けられた物品が収納される収納部材の棚部に物品管理部材を取り付けることにより、物品に取り付けられたＲＦ−ＩＤメディアから情報が読み出されて読み出された情報を用いて物品が管理され、さらに、物品が検索された場合に検索対象となる物品に取り付けられたＲＦ−ＩＤメディアから情報を読み出したアンテナに対応する物品位置表示手段が駆動する構成としたため、背板等にＲＦ−ＩＤメディアから情報を読み取るためのアンテナが配置されていない書棚やキャビネット等の収納部材に収納される物品についても、物品に取り付けられたＲＦ−ＩＤメディアを用いて管理することができ、また、収納部材に収納された物品を検索した場合に物品の収納領域をわかりやすく出力することができる。また、複数のアンテナが取り付けられた第１の支持部材を棚部の背面に高さ方向に２つ並べて取り付ければ、その棚部に物品が２段に重ねられて収納される場合であっても、２段に重ねられた物品それぞれについての位置を管理することができる。
【００１３】
また、第１の支持部材が、アンテナを任意の位置に着脱可能に構成された第１の取り付け手段を有し、第２の支持部材が、物品位置表示手段を任意の位置に着脱可能に構成された第２の取り付け手段を有するものにおいては、ＲＦ−ＩＤメディアが取り付けられた物品の大きさや収納部材における収納位置に応じた位置にアンテナ及び物品位置表示手段を取り付けることができ、それにより、収納部材に収納される物品の大きさや収納位置に関わらず、物品に取り付けられたＲＦ−ＩＤメディアから情報を確実に読み出すことができるとともに、その物品の正確な位置を表示することができる。
【発明を実施するための最良の形態】
【００１４】
以下に、本発明の実施の形態について図面を参照して説明する。
【００１５】
図１は、本発明の物品管理部材の実施の一形態を示す図であり、（ａ）は正面から見た外観図、（ｂ）は（ａ）に示した矢印Ａ方向から見た図、（ｃ）は（ａ）に示した支持部材１０からアンテナユニット２０−１〜２０−８及び制御ボックス３０を取り外した状態を示す図、（ｄ）は（ａ）に示したアンテナユニット２０−１を背面側から見た図である。
【００１６】
本形態は図１（ａ）に示すように、ＲＦ−ＩＤメディアから情報を読み出すためのアンテナが内蔵されたアンテナユニット２０−１〜２０−８と制御ボックス３０が取り付けられた第１の支持部材１０と、アンテナユニット２０−１〜２０−８に対応して物品位置表示手段となるＬＥＤ４１−１〜４１−８が取り付けられた第２の支持部材４０とから構成されている。支持部材１０は図１（ｂ）に示すように、支持部材１０の長手方向に延びた溝状のアンテナユニット収納部１３が設けられ、このアンテナユニット収納部１３の上下面に設けられた第１の取り付け手段である溝１２に、アンテナユニット２０−１〜２０−８の上下にて突出した凸部２１が嵌め込まれることによりアンテナユニット２０−１〜２０−８が支持部材１０に取り付けられている。このため、アンテナユニット２０−１〜２０−８は、凸部２１が溝１２に嵌合した状態でアンテナユニット収納部１３内を長手方向に移動可能となっている。すなわち、アンテナユニット２０−１〜２０−８は、支持部材１０の任意に位置に着脱可能となっている。また、図１（ｃ）に示すように、支持部材１０のアンテナユニット収納部１３には、アンテナユニット２０−１〜２０−８の取り付け位置に対応して穴１４−１〜１４−８が設けられており、この穴１４−１〜１４−８から、制御ボックス３０に接続された配線が引き出され、その先端にコネクタ１５−１〜１５−８が接続されている。また、図１（ｄ）に示すように、アンテナユニット２０−１〜２０−８の背面側には、制御ボックス３０と電気的に接続されるための接続部２２−１〜２２−８がそれぞれ設けられており（接続部２２−１のみ図示）、アンテナユニット２０−１〜２０−８が上述したようにして支持部材１０に取り付けられる際に、アンテナユニット２０−１〜２０−８の接続部２２−１〜２２−８にコネクタ１５−１〜１５−８が嵌め込まれることにより、アンテナユニット２０−１〜２０−８と制御ボックス３０とが電気的に接続される。また、図１（ａ），（ｂ）に示すように、支持部材１０の長手方向両端部には、この支持部材１０を、物品が収納される収納部材の背面に取り付けるための鉤部１１が設けられており、それにより、支持部材１０が、物品が収納される収納部材の背面に着脱可能な形状となっている。
【００１７】
また、図１（ａ）に示すように、支持部材４０には、支持部材１０に取り付けられたアンテナユニット２０−１〜２０−８に対応してＬＥＤ４１−１〜４１−８が取り付けられているが、アンテナユニット２０−１〜２０−８の取り付け位置に応じてＬＥＤ４１−１〜４１−８が支持部材４０の長手方向に移動可能となるようにＬＥＤ４１−１〜４１−８のそれぞれについて、制御ボックス３０と電気的に接続された接続部４２−１〜４２−８が設けられている。
【００１８】
また、制御ボックス３０は、タッピングビス（不図示）等によって支持部材１０に取り付けられている。
【００１９】
図２は、図１に示した物品管理部材１の電気的構成を示す図である。
【００２０】
図２に示すように、図１に示した物品管理部材１においては、支持部材１０に取り付けられたアンテナユニット２０−１〜２０−８内に、ＲＦ−ＩＤメディアから情報を読み出すためのコイル状のアンテナ２３−１〜２３−８が形成されたアンテナ基板２４−１〜２４−８がそれぞれ内蔵され、このアンテナ２３−１〜２３−８がそれぞれコネクタ１５−１〜１５−８を介して制御ボックス３０と接続されている。
【００２１】
また、制御ボックス３０には、アンテナ２３−１〜２３−８を介してＲＦ−ＩＤメディアから情報を読み出す情報読出部３２と、アンテナ２３−１〜２３−８への電流の供給を切り替えるアンテナ切替器３１と、ＬＥＤ４１−１〜４１−８を点灯させるＬＥＤドライバ３３と、この物品管理部材１を識別するためのＩＤを設定するためのディップスイッチからなるＩＤ切替器３５と、後述するコントロールユニットからの制御によって、情報読出部３２、アンテナ切替器３１およびＬＥＤドライバ３３の動作を制御するとともに、情報読出部３２における読み出し結果をコントロールユニットに送信する制御部３４とが設けられている。
【００２２】
上記のように構成された物品管理部材１においては、アンテナ切替器３１によってアンテナ２３−１〜２３−８への電流の供給が切り替えられ、ＬＥＤドライバ３３によってＬＥＤ４１−１〜４１−８の点灯が制御されることになるが、図２においては図示していないが、実際にはＬＥＤドライバ３３は図１（ａ）に示した接続部４２−１〜４２−８と接続されており、この接続部４２−１〜４２−８に対する電流供給が制御されることになる。すなわち、ＬＥＤ４１−１〜４１−８は、対応する接続部４２−１〜４２−８のいずれかに差し込まれることによりＬＥＤドライバ３３による点灯制御が行われることになる。
【００２３】
以下に、上記のように構成された物品管理部材１を用いた物品管理方法について説明する。
【００２４】
図３は、図１及び図２に示した物品管理部材１が、物品が収納される収納部材２に取り付けられた状態を示す図である。
【００２５】
図１及び図２に示した物品管理部材１は、図３に示すように、物品が収納される収納部材２の棚部３ａ〜３ｃのそれぞれに取り付けられる。物品管理部材１の支持部材１０は、棚部３ａ〜３ｃの背面に取り付けられ、物品管理部材１の支持部材４０は、棚部３ａ〜３ｃの前面に取り付けられる。
【００２６】
収納部材２の棚部３ａに取り付けられた物品管理部材１においては、図１に示したものの同様に、８つのアンテナユニット２０−１〜２０−８が支持部材１０に取り付けられているとともに、８つのＬＥＤ４１−１〜４１−８が支持部材４０に取り付けられている。
【００２７】
また、収納部材２の棚部３ｂに取り付けられた物品管理部材１においては、４つのアンテナユニット２０−２，２０−４，２０−６，２０−８が支持部材１０に取り付けられ、この４つのアンテナユニット２０−２，２０−４，２０−６，２０−８に対応して４つのＬＥＤ４１−２，４１−４，４１−６，４１−８が支持部材４０に取り付けられている。なお、支持部材１０に取り付けられた４つのアンテナユニット２０−２，２０−４，２０−６，２０−８のうち、２つのアンテナユニット２０−４，２０−８においては、棚部３ａの支持部材１０に取り付けられたアンテナユニット２０−４，２０−８に対して取り付け位置が異なっている。これは、棚部３ｂ上に載置される物品の大きさや位置に合わせてアンテナユニット２０−４，２０−８をアンテナユニット収納部１３の溝１２によって移動させたことによるものである。また、支持部材４０に取り付けられた４つのＬＥＤ４１−２，４１−４，４１−６，４１−８のうち、２つのＬＥＤ４１−４，４１−８においても、棚部３ａの支持部材４０に取り付けられたＬＥＤ４１−４，４１−８に対して取り付け位置が異なっている。これは、アンテナユニット２０−４，２０−８の位置に合わせてＬＥＤ４１−４，４１−８を差し込む接続部４２−４，４２−８を変えることによってＬＥＤ４１−４，４１−８を移動させたことによるものである。このような構成とすることにより、棚部に載置される物品の大きさや位置に関わらず、物品に取り付けられたＲＦ−ＩＤメディアの位置とアンテナ及びＬＥＤの位置とを合わせることが可能となり、それにより、物品に取り付けられたＲＦ−ＩＤメディアから情報を確実に読み出すことができるとともに、その物品の正確な位置を表示することができる。
【００２８】
また、収納部材２の棚部３ｃにおいては、図１に示した物品管理部材１が２段に取り付けられている。これは、棚部３ｃには物品が２段に重ねられて収納されることに合わせたものであり、棚部３ｃの背面に２つの支持部材１０が高さ方向に並べられて取り付けられるとともに、棚部３ｂ，３ｃの前面に、この２つの支持部材１０に対応して支持部材４０がそれぞれ取り付けられている。また、このように１つの棚部に物品が２段に重ねて収納される場合でもそのいずれの物品の位置を示すかを明確にするために、支持部材４０に取り付けられたＬＥＤ４１−１〜４１−８を図示するように上下が識別可能となるようなものとすることが好ましい。このように、棚部に物品が２段に重ねられて収納される場合であっても、その棚部の背面に２つの支持部材１０を高さ方向に並べて取り付けることにより、２段に重ねられた物品それぞれについての位置を管理することができる。
【００２９】
図４は、図３に示した支持部材１０の収納部材２への取り付け方法を説明するための図であり、（ａ）は収納部材２の正面から見た図、（ｂ）は（ａ）に示した矢印Ａ方向から見た図である。
【００３０】
図４に示すように、収納部材２の棚部３ａ〜３ｃを支持する枠材には棚部３ａ〜３ｃを任意の高さに取り付けるための穴２ａが設けられており、本形態においては、この穴２ａに支持部材１０の鉤部１１を引っ掛けることにより、支持部材１０が棚部３ａ〜３ｃの背面に取り外し可能に取り付けられている。また、収納部材２の枠材に図４に示したような穴２ａが設けられていない場合は、支持部材１０をばね力によって長手方向に伸縮自在な構成とし、このばね力によって支持部材１０を収納部材２の枠材あるいは側板間で挟持すること等が考えられる。いずれの場合であっても、支持部材１０は、一般的な収納部材２の背面に着脱可能な構成を有するものである。
【００３１】
また、支持部材４０においては、両面テープ等によって棚部３ａ〜３ｃに貼付されることによって取り付けることが考えられる。
【００３２】
図５は、図１及び図２に示した物品管理部材１が図３に示したように収納部材２に取り付けられた状態で、収納部材２に収納された物品を管理する場合のシステム構成を示す図である。
【００３３】
図５に示すように本システムにおいては、収納部材２の棚部３に、図１及び図２に示した物品管理部材１がそれぞれ取り付けられ、この物品管理部材１には、物品管理部材１におけるＲＦ−ＩＤメディアからの情報の読み出し結果に基づいて棚部３における物品の収納状況を管理するコントロールユニット４が収納部材２毎に接続されている。また、収納部材２毎に設けられたコントロールユニット４は、収納部材２に収納される物品を管理する管理用パソコン６とＬＡＮ及びハブ５を介して接続されており、収納部材２に収納された物品の検索結果等を表示するＬＥＤが内蔵されたランプ４ａが設けられている。なお、コントロールユニット４は、対応する収納部材２を構成する３つの棚部３のそれぞれに取り付けられた３つの物品管理部材１のうち、１つの物品管理部材１のみと接続され、他の２つの物品管理部材１は順次マルチドロップ接続され、１つの物品管理部材１にて終端されている。また、本システム構成においては、管理用パソコン６に接続されるコントロールユニット４及びこれに対応する収納部材２の数は３つとしているが、その数は３つに限らない。また、収納部材２を構成する棚部３の数も３つとしているが、その数は３つに限らない。
【００３４】
図６は、図５に示した棚部３に収納される物品となる収納ボックスの構造例を示す図である。
【００３５】
図６に示すように、棚部３に収納される収納ボックス７は、開口部から部品を収納可能に構成され、収納部材２の棚部３に収納された場合に棚部３の背面側となる面にはＲＦ−ＩＤメディアである非接触型ＩＣラベル８が貼付され、また、棚部３に収納された場合に手前側となる面には、バーコード情報が印字されたバーコードラベル９が貼付されている。なお、非接触型ＩＣラベル８を収納ボックス７に貼付する位置は収納ボックス７の内側面であってもよく、また、ＲＦ−ＩＤメディアとして非接触型ＩＣラベル８を収納ボックス７に貼付するのではなく、ＲＦ−ＩＤメディアを収納ボックス７自体に組み込んだり、フィルムケース等によって収納ボックス７に挿入部を設けてそこに収納したりしてもよい。また、非接触型ＩＣラベル８のシリアル番号とバーコードラベル９に印字されたバーコード情報とは、データベース６ａに予め対応づけて登録されている。
【００３６】
図６に示した収納ボックス７が図３に示した収納部材２の棚部３ａ〜３ｃに収納されることになるが、上述したように、棚部３ａ〜３ｃには、収納ボックス７の収納位置に応じた位置にアンテナユニット２０−１〜２０−８が取り付けられた物品管理部材１が取り付けられているため、収納ボックス７が棚部３ａ〜３ｃに収納された場合、収納ボックス７に貼付された非接触型ＩＣラベル８と物品管理部材１のアンテナユニット２０−１〜２０−８とが互いに対向するようになる。なお、図１に示したアンテナユニット収納部１３の構成を、アンテナユニット２０−１〜２０−８が支持部材１０の前面から突出しないようなものとすれば、収納ボックス７が棚部３ａ〜３ｃに押し込まれるように収納された場合でも収納ボックス７がアンテナユニット２０−１〜２０−８と接触することがなく、それによりアンテナユニット２０−１〜２０−８が損傷してしまう可能性を低減することができる。
【００３７】
図５に示したように物品管理部材１を収納部材２の棚部３に取り付けた状態で棚部３に収納された収納ボックス７の収納状況を管理する場合、まず、管理用パソコン６において、収納ボックス７に収容される部品名と収納ボックス７に貼付されたバーコードラベル９に印字されたバーコード情報とを対応づけてデータベース６ａに登録して管理しておく。これは、例えば、管理用パソコン６に収納ボックス７に収容される部品の部品名を入力するとともに、この収納ボックス７に貼付されたバーコードラベル９に印字されたバーコード情報を管理用パソコン６に接続されたバーコードリーダー（不図示）にて読み取り、これらを対応づけること等が考えられる。ここで、収納ボックス７に貼付されたバーコードラベル９に印字されたバーコード情報と収納ボックス７に貼付された非接触型ＩＣラベル８のシリアル番号とは、上述したようにデータベース６ａにて予め対応づけて管理されているため、収納ボックス７に収容される部品の部品名と収納ボックス７に貼付されたバーコードラベル９に印字されたバーコード情報とを対応づけてデータベース６ａに登録することにより、収納ボックス７に収容される部品の部品名と収納ボックス７に貼付された非接触型ＩＣラベル８のシリアル番号とが対応づけてデータベース６ａにて管理されることになる。
【００３８】
また、コントロールユニット４においては、まず、初期動作として、コントロールユニット４に接続されるべき物品管理部材１に対して、アンテナ２３−１〜２３−８を介しての非接触型ＩＣラベル８からのシリアル番号の読み取り制御が行われ、その読み取り制御に対して、非接触型ＩＣラベル８からシリアル番号が読み出された旨あるいは読み出されなかった旨を示す応答があるかどうかによって、物品管理部材１の存在、すなわち、コントロールユニット４に接続されるべき物品管理部材１のうち実際に接続されている物品管理部材１が認識され、以後、上述した読み取り制御は、コントロールユニット４に実際に接続されていると認識された物品管理部材１に対してのみ行われることになる。なお、上述したアンテナ２３−１〜２３−８を介しての非接触型ＩＣラベル８からのシリアル番号の読み取り動作は、以下に示すものと同様にして行われる。
【００３９】
その後、コントロールユニット４において、コントロールユニット４に接続された物品管理部材１に対して、アンテナユニット２０−１〜２０−８内のアンテナ２３−１〜２３−８を介して非接触型ＩＣラベル８から情報を読み出すための制御が行われる。これは、コントロールユニット４において、コントロールユニット４に接続された物品管理部材１のうち１つ目の物品管理部材１について、８つのアンテナ２３−１〜２３−８のうち１つ目のアンテナ２３−１が指定され、それにより、アンテナ切替器３１が切り替えられてアンテナ２３−１が選択され、その状態で、コントロールユニット４からの読み出し命令によって情報読出部３２においてアンテナ２３−１に対して高周波電流が供給されてこのアンテナ２３−１を介して非接触型ＩＣラベル８からの情報の読み出しが行われ、その後、コントロールユニット４にてアンテナ２３−２が指定されることによりアンテナ２３−２が選択され、その状態で、情報読出部３２においてアンテナ２３−２に対して高周波電流が供給されてこのアンテナ２３−２を介して非接触型ＩＣラベル８からの情報の読み出しが行われるというように、コントロールユニット４に接続された物品管理部材１及びその中のアンテナ２３−１〜２３−８毎に順次行われることになる。なお、物品管理部材１においては、制御ボックス３０に設けられたＩＤ切替器３５によって、１つのコントロールユニット４に接続された物品管理部材１どうしで互いに異なるＩＤとなる部材番号が設定されており、また、物品管理部材１毎のアンテナ２３−１〜２３−８については、コントロールユニット４にてそのＩＤとなるアンテナ番号が管理されているため、コントロールユニット４において、物品管理部材１及びアンテナ２３−１〜２３−８が指定可能となっている。
【００４０】
情報読出部３２において非接触型ＩＣラベル８から読み出されたシリアル番号は、コントロールユニット４に送信される。
【００４１】
物品管理部材１から送信されたシリアル番号がコントロールユニット４にて受信されると、コントロールユニット４において、受信されたシリアル番号を用いて、棚部３における収納ボックス７の収納状況情報がテーブル上にて保持される。
【００４２】
図７は、図５に示したコントロールユニット４内のテーブルの一例を示す図である。
【００４３】
コントロールユニット４においては、図７に示すように、コントロールユニット４毎に付与されたＩＰアドレスと、物品管理部材１のＩＤ切替器３５にて設定され、物品管理部材１を識別するための部材番号と、物品管理部材１内のアンテナを識別するためのアンテナ番号と、そのアンテナを介して読み出された非接触型ＩＣラベル８のシリアル番号とが対応づけられてテーブル上にて保持される。なお、コントロールユニット４においては、ＩＰアドレス、部材番号及びアンテナ番号からなるテーブルが既に保持されており、そのテーブル上に、物品管理部材１から取得された非接触型ＩＣラベル８のシリアル番号が書き込まれることになる。
【００４４】
このように、コントロールユニット４にて物品管理部材１及びアンテナ２３−１〜２３−８が順次指定され、物品管理部材１の情報読出部３２において、コントロールユニット４における指定に従って、棚部３に収納された収納ボックス７に貼付された非接触型ＩＣラベル８からシリアル番号が順次読み出され、このシリアル番号がコントロールユニット４に送信されることにより、棚部３における収納ボックス７の収納状況がコントロールユニット４にて保持、管理されることになる。
【００４５】
以下に、上述したように収納ボックス７の収納状況が管理されている状態にて収納ボックス７に収容された部品を検索する物品検索方法について説明する。
【００４６】
図８は、図５に示したシステムにおける物品検索方法の一例を説明するためのフローチャートである。
【００４７】
収納部材２に収納された部品を検索するために検索対象となる部品名が管理用パソコン６に入力され、管理用パソコン６上に表示された検索ボタン（不図示）が押下されると（ステップＳ１）、まず、管理用パソコン６において、コントロールユニット４に対してセッションが確立され、入力された部品名に対応づけてデータベース６ａにて管理されている非接触型ＩＣラベル８のシリアル番号が検索される（ステップＳ２）。
【００４８】
そして、検索されたシリアル番号が、管理用パソコン６に接続された全てのコントロールユニット４に対して検索命令とともに送信される（ステップＳ３）。また、コントロールユニット４においては、管理用パソコン６とのセッションが確立すると、上述したような物品管理部材１に対する情報読出部３２におけるシリアル番号の読み出し制御が停止する。
【００４９】
管理用パソコン６から送信された検索命令及び検索対象となるシリアル番号はコントロールユニット４にて受信され（ステップＳ４）、コントロールユニット４において、図７に示したようなコントロールユニット４内のテーブルが参照され、テーブル上にて保持された情報の中から管理用パソコン６から送信されてきた検索対象となるシリアル番号が検索される（ステップＳ５）。
【００５０】
コントロールユニット４において、テーブル上に保持された情報の中から、受信されたシリアル番号が検索された場合（ステップＳ６）、コントロールユニット４に設けられたランプ４ａが点灯するとともに、テーブル上にてそのシリアル番号と対応づけられた部材番号及びアンテナ番号に対応するＬＥＤを点灯させる旨の指示が物品管理部材１に送信される（ステップＳ７）。なお、コントロールユニット４においては、コントロールユニット４に接続された物品管理部材１毎に、アンテナ２３−１〜２３−８に対応するＬＥＤ４１−１〜４１−８のＩＤ、すなわち接続部４２−１〜４２−８のＩＤとなるＬＥＤ番号が管理されており、それにより、点灯させるＬＥＤが特定可能となっている。
【００５１】
すると、ＬＥＤを点灯させる旨の指示がコントロールユニット４から送信されてきた物品管理部材１においては、制御ボックス３０の制御部３４において、ＬＥＤ４１−１〜４１−８のうち、コントロールユニット４にて点灯させる旨が指示されたＬＥＤ、すなわち、管理用パソコン６にて検索が指示された部品が収容された収納ボックスの収納位置に対応するＬＥＤが点灯するようにＬＥＤドライバ３３が制御され、それにより、該当するＬＥＤが点灯する（ステップＳ８）。
【００５２】
その後、検索対象となる収納ボックスの収納位置に対応するＬＥＤが点灯してから所定時間経過した場合に、コントロールユニット４あるいは管理用パソコン６における制御によってＬＥＤを消灯させる。
【００５３】
また、コントロールユニット４においては、コントロールユニット４のＩＰアドレスと、検索対象のシリアル番号と、テーブル上にてそのシリアル番号と対応づけられた部材番号及びアンテナ番号とが検索情報として管理用パソコン６に送信される（ステップＳ９）。
【００５４】
管理用パソコン６においては、コントロールユニット４から送信されてきた検索情報が受信されると、検索対象となる部品が収容された収納ボックスがどの収納部材のどの棚に収納されているかがマッピング表示等によって出力される（ステップＳ１０）。
【００５５】
一方、コントロールユニット４において、テーブル上に保持された情報の中から、受信されたシリアル番号が検索されない場合は、シリアル番号が検索されなかった旨を示す情報が、コントロールユニット４のＩＰアドレスとともに送信され（ステップＳ１１）、管理用パソコン６において受信される（ステップＳ１２）。
【００５６】
このように、本形態においては、収納部材２における収納ボックスの収納状況がコントロールユニット４にて管理されており、収納ボックスの検索命令が管理用パソコン６から入力された場合、コントロールユニット４にて管理されている収納状況に基づいて収納ボックスの収納位置が検索され、検索対象となる収納ボックスが収納された収納部材２に取り付けられたコントロールユニット４のランプ４ａ、並びに、収納ボックスの収納位置に対応するＬＥＤが点灯するので、収納領域に収納された収納ボックスを一元的に管理しながらも、部品を検索した場合にその部品が収納された収納ボックスの収納領域をわかりやすく出力することができる。
【００５７】
なお、上述した物品検索方法においては、収納部材２における収納ボックスの収納状況をコントロールボックス４にて保持、管理しておき、この保持、管理された収納状況を用いて収納ボックスの検索を行っているが、収納部材２における収納ボックスの収納状況をコントロールボックス４及び管理用パソコン６にて保持、管理しておき、管理用パソコン６にて保持、管理された収納状況を用いて収納ボックスの検索を行うことも考えられる。
【００５８】
また、同時に２つの収納ボックスを検索する場合にそれらを識別するために、異なる周期でＬＥＤ４１−１〜４１−８を点滅させることも考えられる。その場合、管理用パソコン６に検索対象となる部品名を入力する際に、ＬＥＤ４１−１〜４１−８の点滅周期を指定することになる。管理用パソコン６にて指定された点滅周期は、検索命令及びシリアル番号とともにコントロールユニット４に送られ、コントロールユニット４において、物品管理部材１に対して管理用パソコン６から送られてきた点滅周期でＬＥＤを点滅させる旨が指示されることになる。
【００５９】
また、図５に示したシステムにおいて、収納部材２からの収納ボックスの持ち出し状況を管理することもできる。以下にその方法について説明する。
【００６０】
図９は、図５に示したシステムにおける物品管理方法の一例を説明するためのフローチャートである。
【００６１】
まず、コントロールユニット４においては、上述したものと同様に、物品管理部材１における収納ボックス７に貼付された非接触型ＩＣラベル８からの読み出し結果に基づいて、図７に示したようなテーブル上にて収納ボックス７の収納状況情報が保持されている。
【００６２】
この状態において、コントロールユニット４にて保持された収納ボックス７の収納状況情報を取得するための取得命令が管理用パソコン６に入力されると（ステップＳ２１）、まず、管理用パソコン６において、コントロールユニット４に対してセッションが確立され、管理用パソコン６において、コントロールユニット４に対して、コントロールユニット４にて保持された収納ボックス７の収納状況情報を送信するための送信要求が送信される（ステップＳ２２）。
【００６３】
管理用パソコン６から送信された送信要求がコントロールユニット４にて受信されると、コントロールユニット４にて保持された収納ボックス７の収納状況情報がコントロールユニット４から送信される（ステップＳ２３）。また、コントロールユニット４においては、管理用パソコン６とのセッションが確立すると、上述したような物品管理部材１に対する情報読出部３２におけるシリアル番号の読み出し制御が停止する。
【００６４】
コントロールユニット４から送信された収納状況情報が管理用パソコン６にて取得されると（ステップＳ２４）、管理用パソコン６において、収納状況情報を送信してきたコントロールユニット４のＩＰアドレスが含まれた収納状況情報が既に保持されているかどうかが確認され（ステップＳ２５）、収納状況情報がまだ保持されていない場合は、受信された収納状況情報が、図７に示したようなテーブルと同様のテーブル上にて保持される（ステップＳ２６）。
【００６５】
一方、管理用パソコン６にて既に収納状況情報が保持されている場合は、既に保持されている収納状況情報とコントロールユニット４から取得された収納状況情報とが比較される（ステップＳ２７）。
【００６６】
収納状況情報の比較の結果、既に保持されている収納状況情報に含まれ、かつ、コントロールユニット４から取得された収納状況情報に含まれていない収納ボックス７に貼付された非接触型ＩＣラベル８のシリアル番号が存在する場合（ステップＳ２８）、管理用パソコン６において、そのシリアル番号によって指定される収納ボックス７が持ち出し予約として管理されているかどうかが確認される（ステップＳ２９）。ここで、管理用パソコン６においては、収納部材２に収納された収納ボックス７の持ち出し予約情報が管理されており、持ち出し予約がされた収納ボックス７に貼付された非接触型ＩＣラベル８のシリアル番号がデータベース６ａに登録されている。そのため、管理用パソコン６にて既に保持されている収納状況情報に含まれており、かつ、コントロールユニット４から取得された収納状況情報に含まれていないシリアル番号は、データベース６ａにおいて持ち出し予約がされたシリアル番号として登録されているはずである。
【００６７】
管理用パソコン６における確認の結果、シリアル番号によって指定される収納ボックス７が持ち出し予約として管理されている場合は（ステップＳ３０）、既に保持されている収納状況情報がコントロールユニット４から取得された収納状況情報によって更新される（ステップＳ３１）。
【００６８】
このようにして、ステップＳ２６にてテーブル上に保持された収納状況情報や、ステップＳ３１にて更新された収納状況情報を用いて、管理用パソコン６において、収納部材２に収納された収納ボックス７の在庫管理が行われ、その在庫管理情報が外部からの指定によって表示されたり、プリントアウトされたりする。
【００６９】
また、管理用パソコン６における確認の結果、シリアル番号によって指定される収納ボックス７が持ち出し予約として管理されていない場合は、不正持ち出しと判断され、その収納状況情報を送信してきたコントロールユニット４から警報を出力する制御が行われ（ステップＳ３２）、コントロールユニット４からブザー（不図示）等によって警報が出力される（ステップＳ３３）。
【００７０】
その後、コントロールユニット４に設けられたブザー停止ボタン（不図示）が操作されることにより、コントロールユニット４からの警報の出力が停止する。
【００７１】
このように、本形態においては、収納部材２における収納ボックスの収納状況が管理用パソコン６にて管理されており、収納部材２から収納ボックスが不正に持ち出された場合、その収納部材２に対応するコントロールユニット４から警報が出力されるので、収納領域に収納された物品を一元的に管理しながらも、収納ボックスが収納領域から不正に持ち出された場合にその旨を物品の収納領域にて出力することができる。
【００７２】
なお、上述した物品管理方法においては、管理用パソコン６にて収納状況の比較を行っているが、コントロールユニット４にて収納状況を比較し、不一致のシリアル番号が存在する場合に、そのシリアル番号のみをコントロールユニット４から管理用パソコン６に送信し、管理用パソコン６において、コントロールユニット４から送信されてきたシリアル番号を用いて収納ボックスの持ち出し予約確認を行うことも考えられる。
【００７３】
また、本形態においては、収納部材２に収納される物品として部品が収納された収納ボックス７を例に挙げて説明したが、収納部材２に収納される物品としては、収納部材２の棚部３に収納された場合に棚部３の背面側となる面に非接触型ＩＣラベル８が貼付されたものであれば収納ボックスに限らない。
【００７４】
（他の実施の形態）
図１０は、本発明の物品管理部材の他の実施の形態を示す図であり、（ａ）は正面から見た外観図、（ｂ）は（ａ）に示したアンテナユニット１２０−１を正面から見た図、（ｃ）は（ａ）に示した支持部材１１０からアンテナユニット１２０−１〜１２０−８及び制御ボックス３０を取り外した状態を示す図、（ｄ）は（ａ）に示したアンテナユニット１２０−１を背面側から見た図である。
【００７５】
本形態は図１０に示すように、図１に示したものに対して、支持部材１１０に対するアンテナユニット１２０−１〜１２０−８の取り付け形態のみが異なるものである。その他の構成及び電気的構成は、図１及び図２に示したものと同様である。
【００７６】
本形態においては、支持部材１１０に第１の取り付け手段となる複数の穴１１６が支持部材１１０の長手方向に並ぶように設けられており、また、アンテナユニット１２０−１〜１２０−８は、アンテナユニット１２０−１〜１２０−８を支持部材１１０に取り付けるための固定部１２５が本体部から左右に突出するように設けられ、この固定部１２５に穴１２５ａがそれぞれ形成されて構成されている。そして、このアンテナユニット１２０−１〜１２０−８は、固定部１２５の穴１２５ａと支持部材１１０の穴１１６とが合わさるように位置決めされ、プッシュロック１１７が穴１１６，１２５ａに差し込まれることによって支持部材１１０に固定されることになる。このため、アンテナユニット１２０−１〜１２０−８は、支持部材１１０の長手方向において移動可能となっている。すなわち、アンテナユニット１２０−１〜１２０−８は、支持部材１１０の任意の位置に着脱可能となっている。
【００７７】
なお、上述した２つの実施の形態においては、アンテナユニット２０−１〜２０−８，１２０−１〜１２０−８にコイル状のアンテナ２３−１〜２３−８が形成されたアンテナ基板２４−１〜２４−８を内蔵し、このアンテナ２３−１〜２３−８と収納ボックス７に貼付された非接触型ＩＣラベル８との電磁誘導により非接触型ＩＣラベル８から情報を読み出す電磁誘導方式によるものを例に挙げて説明したが、アンテナ基板２４−１〜２４−８にダイポール形態等のアンテナを形成しておき、電波方式によって情報を読み出すことも考えられる。
【図面の簡単な説明】
【００７８】
【図１】本発明の物品管理部材の実施の一形態を示す図であり、（ａ）は正面から見た外観図、（ｂ）は（ａ）に示した矢印Ａ方向から見た図、（ｃ）は（ａ）に示した支持部材からアンテナユニット及び制御ボックスを取り外した状態を示す図、（ｄ）は（ａ）に示したアンテナユニットを背面側から見た図である。
【図２】図１に示した物品管理部材の電気的構成を示す図である。
【図３】図１及び図２に示した物品管理部材が、物品が収納される収納部材に取り付けられた状態を示す図である。
【図４】図３に示した支持部材の収納部材への取り付け方法を説明するための図であり、（ａ）は収納部材の正面から見た図、（ｂ）は（ａ）に示した矢印Ａ方向から見た図である。
【図５】図１及び図２に示した物品管理部材が図３に示したように収納部材に取り付けられた状態で、収納部材に収納された物品を管理する場合のシステム構成を示す図である。
【図６】図５に示した棚部に収納される物品となる収納ボックスの構造例を示す図である。
【図７】図５に示したコントロールユニット内のテーブルの一例を示す図である。
【図８】図５に示したシステムにおける物品検索方法の一例を説明するためのフローチャートである。
【図９】図５に示したシステムにおける物品管理方法の一例を説明するためのフローチャートである。
【図１０】本発明の物品管理部材の他の実施の形態を示す図であり、（ａ）は正面から見た外観図、（ｂ）は（ａ）に示したアンテナユニットを正面から見た図、（ｃ）は（ａ）に示した支持部材からアンテナユニット及び制御ボックスを取り外した状態を示す図、（ｄ）は（ａ）に示したアンテナユニットを背面側から見た図である。
【符号の説明】
【００７９】
１，１０１    物品管理部材
２    収納部材
２ａ，１４−１〜１４−８，１１６，１２５ａ    穴
３，３ａ，３ｂ，３ｃ    棚部
４    コントロールユニット
４ａ    ランプ
５    ハブ
６    管理用パソコン
６ａ    データベース
７    収納ボックス
８    非接触型ＩＣラベル
９    バーコードラベル
１０，４０，１１０    支持部材
１１    鉤部
１２    溝
１３    アンテナユニット収納部
１５−１〜１５−８    コネクタ
２０−１〜２０−８，１２０−１〜１２０−８    アンテナユニット
２１    凸部
２２−１，４２−１〜４２−８    接続部
２３−１〜２３−８    アンテナ
２４−１〜２４−８    アンテナ基板
３０    制御ボックス
３１    アンテナ切替器
３２    情報読出部
３３    ＬＥＤドライバ
３４    制御部
３５    ＩＤ切替器
４１−１〜４１−８    ＬＥＤ
１１７    プッシュロック
１２５    固定部
【図１】
2007004691.tif 000003
【図２】
2007004691.tif 000004
【図３】
2007004691.tif 000005
【図４】
2007004691.tif 000006
【図５】
2007004691.tif 000007
【図６】
2007004691.tif 000008
【図７】
2007004691.tif 000009
【図８】
2007004691.tif 000010
【図９】
2007004691.tif 000011
【図１０】
2007004691.tif 000012